(57)【特許請求の範囲】
【請求項１】
少なくとも１つの光増幅器（９）を備える、光ネットワークの光リンク（７）でのチャネル（１５）の電力レベルを調整するための方法であって、光リンク（７）のチャネル（１５）間での電力分配が、
−  対応するコネクション（１）、および、リンク（７）の物理的特徴の特徴に基づく目標電力レベル、
−  前記少なくとも１つの増幅器（９）での利用可能な全電力、
−  電力分配を行う制御手段の特徴
の関数として実現され、
コネクションに沿って信号が受ける劣化または障害に関する、より高い脆弱性特徴パラメータを有するコネクションに対応するチャネルに対しては、実際のチャネル電力レベルと目標電力レベルとの間の許容差が、コネクションに沿って信号が受ける劣化または障害に関する、より低い脆弱性特徴パラメータを有するコネクションに対応するチャネルに対してよりも小さい、電力レベルを調整するための方法。
【請求項２】
光リンク（７）のチャネル間での電力分配が、より高い脆弱性特徴パラメータを有するコネクション（１）に対応するチャネルの、実際のチャネル電力レベルと目標電力レベルとの間の許容差を最小化する結果となる、請求項１に記載の電力レベルを調整するための方法。
【請求項３】
脆弱性特徴パラメータが、対応するコネクション（１）の長さパラメータを含み、それによって、より長いコネクション（１）が、より高い脆弱性特徴パラメータを有する、請求項１または２に記載の電力レベルを調整するための方法。
【請求項４】
脆弱性特徴パラメータが、対応するコネクション（１）のビットレートパラメータを含み、それによって、より高いビットレートを有するコネクション（１）が、より高い脆弱性特徴パラメータを有する、請求項１から３のいずれか一項に記載の電力レベルを調整するための方法。
【請求項５】
脆弱性特徴パラメータが、対応するコネクションの誤り訂正符号のフォーマットパラメータを含み、それによって、脆弱性特徴パラメータが、コネクション（１）の誤り訂正符号のフォーマットの関数として変動する、請求項１から４のいずれか一項に記載の電力レベルを調整するための方法。
【請求項６】
脆弱性特徴パラメータが、対応するコネクション（１）の変調フォーマットパラメータを含み、それによって、脆弱性特徴パラメータが、コネクション（１）の変調フォーマットの関数として変動する、請求項１から５のいずれか一項に記載の電力レベルを調整するための方法。
【請求項７】
電力レベルの調整が、前記チャネル（１５）の目標電力レベル、および前記チャネル（１５）に対応するコネクション（１）の脆弱性特徴パラメータを考慮するコスト関数の最小化を含み、前記コスト関数が、利用可能な全電力の条件に左右される、請求項１から６のいずれか一項に記載の電力レベルを調整するための方法。
【請求項８】
最小化するコスト関数が、
【数１】
0005312689.tif 000015
のような関数ｆ（Ｐ）に対応し、ただし、ｉは、チャネルのインデックスであり、Ｌは、チャネル数であり、Ｐｉは、チャネルｉでの実際の電力レベルであり、ｍｉは、チャネルｉに対する目標電力レベルであり、１／（σｉ）２は、チャネルｉに対応するコネクションの脆弱性特徴パラメータであり、利用可能な全電力の条件
【数２】
0005312689.tif 000016
に左右され、ただし、Ｃは、利用可能な全電力であり、ａは、定数である、請求項７に記載の電力レベルを調整するための方法。
【請求項９】
コスト関数が、チャネルの電力の調整に対する制限範囲の条件、
βｉｍｉｎｕｓ≦Ｐｉ≦βｉｐｌｕｓ
にさらに左右され、ただし、βｉｐｌｕｓおよびβｉｍｉｎｕｓは、それぞれ、チャネルｉの電力範囲の上側および下側のしきい値である、請求項８に記載の電力レベルを調整するための方法。
【請求項１０】
前記チャネル（１５）の電力レベルの調整が、収束反復法により実現される、請求項１から９のいずれか一項に記載の電力レベルを調整するための方法。
【請求項１１】
実際の電力値が、対応するコネクション（１）の他のリンク（７）の状態の関数として変化する、請求項１から１０のいずれか一項に記載の電力レベルを調整するための方法。
【請求項１２】
実際の電力値の修正が、対応するコネクション（１）の他のリンク（７）での電力の不足または過剰を補正するために利用される、請求項１１に記載の電力レベルを調整するための方法。
【請求項１３】
光リンク（７）であって、
−  少なくとも１つの光増幅器（９）と、
−  チャネル（１５）に対応するコネクション（１）に関する情報を受信するための受信手段と、
−  前記光リンク（７）でのチャネル（１５）電力レベルを、
−  対応するコネクション（１）、および、リンク（７）の物理的特徴の特徴に基づく目標電力レベル、
−  前記少なくとも１つの増幅器（９）での利用可能な全電力、
−  電力分配を行う制御手段の特徴
の関数として、
および、コネクションに沿って信号が受ける劣化または障害に関する、より高い脆弱性特徴パラメータを有するコネクションに対応するチャネルに対しては、実際のチャネル電力レベルと目標電力レベルとの間の許容差が、コネクションに沿って信号が受ける劣化または障害に関する、より低い脆弱性特徴パラメータを有するコネクションに対応するチャネルに対してよりも小さいということにより、決定するように構成される処理手段と、
−  処理手段により決定される電力レベル値により電力レベルを調整するための制御手段と
を備える、光リンク（７）。
【請求項１４】
処理手段が、目標電力レベル、およびチャネルに対応するコネクションの脆弱性特徴パラメータを考慮するコスト関数の最小化を含む、電力レベルの調整を実行するように構成され、前記コスト関数が、利用可能な全電力の条件に左右される、請求項１３に記載の光リンク。
【請求項１５】
処理手段が、
【数３】
0005312689.tif 000017
のような関数ｆ（Ｐ）に対応するコスト関数の最小化を実行するように構成され、ただし、ｉは、チャネルのインデックスであり、Ｌは、チャネル数であり、Ｐｉは、チャネルｉでの電力レベルであり、ｍｉは、チャネルｉに対する目標電力レベルであり、１／（σｉ）２は、チャネルｉに対応するコネクションの脆弱性特徴パラメータであり、前記コスト関数が、利用可能な全電力の条件
【数４】
0005312689.tif 000018
に左右され、ただし、Ｃは、利用可能な全電力である、請求項１４に記載の光リンク。
【請求項１６】
処理手段が、チャネル電力レベルの調整に対する制限範囲の条件、
βｉｍｉｎｕｓ≦Ｐｉ≦βｉｐｌｕｓ
を考慮しながら、前記コスト関数ｆ（ｐ）を最小化するようにさらに構成され、ただし、βｉｐｌｕｓおよびβｉｍｉｎｕｓは、それぞれ、チャネルｉの電力範囲の上側および下側のしきい値である、請求項１５に記載の光リンク。
【請求項１７】
処理手段が、収束反復法に基づく前記チャネル電力レベルの決定として、調整を実行するように構成される、請求項１５に記載の光リンク。
【発明の詳細な説明】
【技術分野】
【０００１】
本発明は、通信ネットワークの分野に、具体的には、光通信ネットワークに関する。
【背景技術】
【０００２】
そのようなネットワークでは、図１に概略的に示されるように、信号は、所与のチャネルに関するコネクション１に沿って、イングレスノード３からエグレスノード５に、複数のリンク７およびスイッチングノード８を介して伝送され、各リンクは、少なくとも１つの増幅器９を備える。さらに、リンクでは、図２で概略的に表されるように、複数のチャネル１５が、一体で伝送かつ増幅され、各チャネル１５は、１つの波長に対応する。
【０００３】
リンクでの増幅電力は、リンクに関係するコネクションに関して、宛先での信号品質を最適化するために調整されなければならない。現況技術では、リンクのすべてのチャネルが同量の電力を受け取るように、異なるチャネルに関して平準化が実現されている。
【０００４】
それでも、電力レベルを調整するための知られている方法は、最適化されていない。
【先行技術文献】
【非特許文献】
【０００５】
【非特許文献１】「Ｃｌｏｓｅｄ  ｆｏｒｍ  ｓｏｌｕｔｉｏｎｓ  ｆｏｒ  ｗａｔｅｒ−ｆｉｌｌｉｎｇ  ｐｒｏｂｌｅｍｓ  ｉｎ  ｏｐｔｉｍｉｚａｔｉｏｎ  ａｎｄ  ｇａｍｅ  ｆｒａｍｅｗｏｒｋｓ」Ｅｉｔａｎ  Ａｌｔｍａｎら、ＧａｍｅＣｏｍｍ２００７、２００７年１０月２２日、Ｎａｎｔｅｓ、Ｆｒａｎｃｅ
【発明の概要】
【発明が解決しようとする課題】
【０００６】
現況技術に関して電力の調整を改善し、光リンクでのチャネルの電力レベルの調整を最適化するための方法を提供することが、本発明の目的である。
【課題を解決するための手段】
【０００７】
本発明は、少なくとも１つの光増幅器を備える、光ネットワークの光リンクでのチャネルの電力レベルを調整するための方法であって、光リンクのチャネル間での電力分配が：
−  対応するコネクション、および、リンクの物理的特徴の特徴に基づく目標電力レベル、
−  前記少なくとも１つの増幅器での利用可能な全電力、
−  電力分配を行う制御手段の特徴
の関数として実現され、
より高い脆弱性特徴パラメータ（ｖｕｌｎｅｒａｂｉｌｉｔｙ  ｃｈａｒａｃｔｅｒｉｚｉｎｇ  ｐａｒａｍｅｔｅｒ）を有するコネクションに対応するチャネルに対しては、実際のチャネル電力レベルと目標電力レベルとの間の許容差が、より低い脆弱性特徴パラメータを有するコネクションに対応するチャネルに対してよりも小さい、電力レベルを調整するための方法に関する。
【０００８】
一実施形態によれば、調整は、光リンクのチャネル間での電力分配が、より高い脆弱性特徴パラメータを有するコネクションに対応するチャネルの、実際のチャネル電力レベルと目標電力レベルとの間の許容差を最小化する結果となるように実現される。
【０００９】
さらなる態様によれば、脆弱性特徴パラメータが、対応するコネクションの長さパラメータを含み、それによって、より長いコネクションが、より高い脆弱性特徴パラメータを有する。
【００１０】
さらなる態様によれば、脆弱性特徴パラメータが、対応するコネクションのビットレートパラメータを含み、それによって、より高いビットレートを有するコネクションが、より高い脆弱性特徴パラメータを有する。
【００１１】
別の態様によれば、脆弱性特徴パラメータが、対応するコネクションの誤り訂正符号のフォーマットパラメータを含み、それによって、脆弱性特徴パラメータが、コネクションの誤り訂正符号のフォーマットの関数として変動する。
【００１２】
さらなる態様によれば、脆弱性特徴パラメータが、対応するコネクションの変調フォーマットパラメータを含み、それによって、脆弱性特徴パラメータが、コネクションの変調フォーマットの関数として変動する。
【００１３】
さらなる態様によれば、電力レベルの調整が、前記チャネルの目標電力レベル、および前記チャネルに対応するコネクションの脆弱性特徴パラメータを考慮するコスト関数の最小化を含み、前記コスト関数が、利用可能な全電力の条件に左右される。
【００１４】
別の実施形態によれば、最小化するコスト関数が、
【数１】
0005312689.tif 000002
のような関数ｆ（Ｐ）に対応し、ただし、ｉは、チャネルのインデックスであり、Ｌは、チャネル数であり、Ｐｉは、チャネルｉでの実際の電力レベルであり、ｍｉは、チャネルｉに対する目標電力レベルであり（両電力は対数スケールで表される）、１／（σｉ）２は、チャネルｉに対応するコネクションの脆弱性特徴パラメータであり、利用可能な全電力の条件
【数２】
0005312689.tif 000003
に左右され、ただし、Ｃは、リニアスケールで表される利用可能な全電力であり、ａは、定数である。
【００１５】
さらなる態様によれば、コスト関数が、チャネルの電力の調整に対する制限範囲の条件：
βｉｍｉｎｕｓ≦Ｐｉ≦βｉｐｌｕｓ
にさらに左右され、ただし、βｉｐｌｕｓおよびβｉｍｉｎｕｓは、それぞれ、チャネルｉの電力範囲の上側および下側のしきい値である。
【００１６】
さらなる態様によれば、前記チャネルの電力レベルの調整が、収束反復法（ｃｏｎｖｅｒｇｉｎｇ  ｉｔｅｒａｔｉｖｅ  ｍｅｔｈｏｄ）により実現される。
【００１７】
別の態様によれば、実際の電力値が、対応するコネクションの他のリンクの状態の関数として変化する。
【００１８】
さらなる態様によれば、実際の電力値の修正が、対応するコネクションの他のリンクでの電力の不足または過剰を補正するために利用される。
【００１９】
本発明は、さらに、光リンクであって：
−  少なくとも１つの光増幅器と、
−  チャネルに対応するコネクションに関する情報を受信するための受信手段と、
−  前記光リンクでのチャネル電力レベルを：
−  対応するコネクション、および、リンクの物理的特徴の特徴に基づく目標電力レベル、
−  前記少なくとも１つの増幅器での利用可能な全電力、
−  電力分配を行う制御手段の特徴
の関数として、
および、より高い脆弱性特徴パラメータを有するコネクションに対応するチャネルに対しては、実際のチャネル電力レベルと目標電力レベルとの間の許容差が、より低い脆弱性特徴パラメータを有するコネクションに対応するチャネルに対してよりも小さいということにより、決定するように構成される処理手段と、
−  処理手段により決定される電力レベル値により電力レベルを調整するための制御手段と
を備える光リンクに関する。
【００２０】
別の態様によれば、処理手段が、目標電力レベル、およびチャネルに対応するコネクションの脆弱性特徴パラメータを考慮するコスト関数の最小化を含む、電力レベルの調整を実行するように構成され、前記コスト関数が、利用可能な全電力の条件に左右される。
【００２１】
さらなる実施形態によれば、処理手段が、
【数３】
0005312689.tif 000004
のような関数ｆ（Ｐ）に対応するコスト関数の最小化を実行するように構成され、ただし、ｉは、チャネルのインデックスであり、Ｌは、チャネル数であり、Ｐｉは、チャネルｉでの電力レベルであり、ｍｉは、チャネルｉに対する目標電力レベルであり（両電力は対数スケールで表される）、１／（σｉ）２は、チャネルｉに対応するコネクションの脆弱性特徴パラメータであり、前記コスト関数が、利用可能な全電力の条件
【数４】
0005312689.tif 000005
に左右され、ただし、Ｃは、リニアスケールで表される利用可能な全電力である。
【００２２】
さらなる態様によれば、処理手段が、チャネル電力レベルの調整に対する制限範囲の条件：
βｉｍｉｎｕｓ≦Ｐｉ≦βｉｐｌｕｓ
を考慮しながら、前記コスト関数ｆ（ｐ）を最小化するようにさらに構成され、ただし、βｉｐｌｕｓおよびβｉｍｉｎｕｓは、それぞれ、チャネルｉの電力範囲の上側および下側のしきい値である。
【００２３】
別の態様によれば、処理手段が、収束反復法に基づく前記チャネル電力レベルの決定として、調整を実行するように構成される。
【図面の簡単な説明】
【００２４】
【図１】光ネットワークでのコネクションの概略図である。
【図２】光リンクの概略図である。
【図３】入力電力の関数としての、リンクの出力でのビット誤り率を表すグラフである。
【図４】「注水（ｗａｔｅｒ  ｆｉｌｌｉｎｇ）」解法を示す概略図である。
【図５】サイフォンを用いる「注水」解法を示す概略図である。
【図６】光リンクの電力分配手段の図である。
【発明を実施するための形態】
【００２５】
本明細書では、コネクションの「脆弱性特徴パラメータ」という用語は、コネクションに沿って信号が受ける劣化（ｄｅｇｒａｄａｔｉｏｎ）または障害（ｉｍｐａｉｒｍｅｎｔ）に関するコネクションのロバスト性の不足を指す。例えば、
−  コネクションの長さ、
−  コネクションに沿った変調フォーマット、
−  コネクションのビットレート、
−  コネクションに沿った誤り訂正符号のフォーマット、
−  光ファイバのタイプのようなリンクの物理的特徴
のような様々なパラメータが、前記脆弱性特徴パラメータに影響を及ぼす場合がある。
【００２６】
本発明の実施形態の目的は、リンク７の異なるチャネル１５の電力レベルを、対応するコネクション１の特徴の関数として、個別に調整することである。
【００２７】
調整は、リンクの各チャネルに対して、当該チャネルに関して最小の信号劣化をもたらす電力レベルに対応する目標電力レベルを決定することにより実現される。
【００２８】
劣化は、当該チャネルに対応するコネクション１に沿って、当該電力レベル調整から次の電力レベル調整まで、リンク７の物理的特徴の関数として評価される。
【００２９】
実際に、図３は、光リンク７のチャネル１５に関する電力レベル（Ｐｌ，ｎ）の関数として、ビット誤り率（ＢＥＲ）を表す曲線を示し、ＢＥＲおよび電力レベルは両方とも、デシベル（ｄＢ）で表されている。この曲線では、３つの部分を識別することができる。
【００３０】
第１に、線形の部分Ｓ１が存在する。電力レベルが低すぎる、すなわちＰ１より低いとき、ノイズが障害をもたらし、ビット誤り率は、電力レベルの低下とともに線形で増大する。
【００３１】
電力レベルＰ１とＰ２との間の第２の部分Ｓ２は、放物線の形状である。この部分Ｓ２は、誤りビット率が容認可能な限度内にとどまる部分である。
【００３２】
ビット誤り率は、目標電力レベルに対応する電力値Ｐ３で最小値をとることが留意され得る。
【００３３】
電力レベルＰ３からの第３の部分Ｓ３は、増大する電力レベルとともに、指数関数的に増大する。これは、電力レベルが高すぎるとき、光学非線形効果が、信号において、信号の劣化、したがってビット誤り率の増大を招く障害をもたらすということに起因する。
【００３４】
線形のＳ１、放物線のＳ２および指数関数的なＳ３を有する曲線の全体的な形状は、すべてのチャネルおよびリンクに関して同じである。しかしながら、ビット誤り率の総計値、具体的には、Ｐ３での最小のＢＥＲおよび部分Ｓ２の幅は、劣化に影響を及ぼす、上記で引用されたパラメータの関数として変動する。
【００３５】
例えば、より幅の大きなＳ２部分を有するリンクでのチャネルは、とがった特徴のＳ２部分を有するチャネルより、障害により影響を受ける可能性がより小さいということもまた理解することができる。これは、第１の場合では、第２の場合でよりも、障害の危険を冒すことなく、電力レベルを調整する多くの自由が存在することを意味する。
【００３６】
したがって、理想的な場合では、すべてのチャネル１５が、宛先で最高の信号品質を得るために、その目標電力レベルに設定されるべきである。これは、再生の必要性が最も低い最適なコネクションが実現され得るので、光ネットワークの最適なトランスペアレント性を達成することもまた意味することになる。
【００３７】
しかしながら、さらなる制約が、そのような調整を妨げる場合がある。実際には、リンクで利用可能な全電力は制限され、リンク７の電力分配手段もまた技術的な制限を有し、それによって、トレードオフが全体的に必要とされる。
【００３８】
各チャネルに対して設定される実際の電力レベルは、技術的な制約に応じて、目標電力レベルとは異なる場合がある。さらには、一部のコネクションは、他のものよりも、電力レベルの修正のあおりをより受ける場合がある。
【００３９】
実際に、低い脆弱性特徴パラメータを有するコネクション１に関しては、コネクションのリンクでの電力レベルの修正は、より高い劣化パラメータを有するコネクション１に関してよりも、与える影響がより小さいことになる。
【００４０】
本発明の態様によれば、高い劣化パラメータを有するコネクション１に対応するチャネル１５に対して、電力レベルの変動の容認可能な範囲は、低い劣化パラメータを有するチャネルに対して低減される。
【００４１】
例えば、１つは高い脆弱性特徴パラメータを有し、１つは低い脆弱性特徴パラメータを有する、リンク７の２つのチャネル１５に対しては、１ｄＢだけの調整範囲が、高い脆弱性特徴パラメータを有するチャネル１５に関して許容されることになり、一方で、５ｄＢの調整範囲が、低い脆弱性特徴パラメータを有するチャネル７に関して許容されることになる。
【００４２】
脆弱性特徴パラメータは、コネクション１に沿って信号の劣化または障害をもたらす、コネクション１の特徴、および、コネクション１に沿って組み合わされるリンク７の特徴によって決まる。例えば、より長いコネクション１は、より短いコネクション１よりも、多くの劣化を受ける可能性があるであろう。
【００４３】
コネクション１の長さは、（例えばｋｍ単位の）その物理的な長さではなく、コネクション１に沿ったリンク７もしくはスパンの数、または、リンク７もしくはスパンの数とその物理的な長さとの組み合わせもまた指す場合があることに留意されたい。変調フォーマット、ビットレートおよび誤り符号のフォーマットもまた、コネクション１に沿う信号に対して容認可能な劣化の量に影響を及ぼす可能性があり、したがって、脆弱性特徴パラメータとして考慮され得る。
【００４４】
このように、脆弱性特徴パラメータにより、リンクの異なるチャネルの電力レベルの調整において、対応するコネクション１の脆弱性を考慮し、より「脆弱性が高い」コネクション１に対応するチャネル１５、すなわち、宛先での信号がかえって劣化されている可能性があるものを優遇することが可能になる。
【００４５】
リンク７で伝送される異なるチャネル１５の電力レベルの調整でのトレードオフを最適化するために、本発明の実施形態は、異なるチャネル１５に対する異なる制約を考慮するコスト関数の最小化に関するものである。
コスト関数は、関数
【００４６】
【数５】
0005312689.tif 000006
により記述され得るものであり、ただし、ｉは、チャネルのインデックスであり、Ｌは、チャネル数であり、Ｐｉは、チャネルｉでの実際の電力レベルであり、ｍｉは、チャネルｉに対する目標電力レベルであり、両電力は対数スケールで表されており、１／（σｉ）２は、チャネルｉに対応するコネクションの脆弱性特徴パラメータである。
【００４７】
前記コスト関数は、利用可能な全電力の条件
【数６】
0005312689.tif 000007
に左右され、ただし、Ｃは、リニアスケールで表されるリンクでの利用可能な全電力であり、ａは、定数である。
【００４８】
さらに、コスト関数が、チャネルの電力の調整に対する制限範囲の条件：
βｉｍｉｎｕｓ≦Ｐｉ≦βｉｐｌｕｓ
にさらに左右され、ただし、βｉｐｌｕｓおよびβｉｍｉｎｕｓは、それぞれ、チャネルｉの電力範囲の上側および下側のしきい値である。
【００４９】
前記コスト関数の最小化を実現するための解法は、次式の対応するラグランジアンの停留点を決定することである：
【数７】
0005312689.tif 000008
ただし、λ、μおよびνは変数である。
【００５０】
ラグランジアンの停留点は、次の方程式により与えられる：
【数８】
0005312689.tif 000009
【数９】
0005312689.tif 000010
問題は、それが、１組の非線形方程式に相当することである。
【００５１】
すべてのコネクションが同一である場合：ｍｉ＝ｍおよびσｉ＝σ
すべてのＰｉがその境界内にあるとすると（λｉ＝μｉ＝０）
方程式は、すべてのＰｉに対して同じである：
【数１０】
0005312689.tif 000011
解法は、図４に示される、古典的な「注水」問題として数学で知られている解法であり、そこでは、Ｂ＋およびＢ−が、異なるチャネルに対する電力レベルの範囲境界に対応する。（一般的な「注水問題」およびその解法に関しては、論文「Ｃｌｏｓｅｄ  ｆｏｒｍ  ｓｏｌｕｔｉｏｎｓ  ｆｏｒ  ｗａｔｅｒ−ｆｉｌｌｉｎｇ  ｐｒｏｂｌｅｍｓ  ｉｎ  ｏｐｔｉｍｉｚａｔｉｏｎ  ａｎｄ  ｇａｍｅ  ｆｒａｍｅｗｏｒｋｓ」Ｅｉｔａｎ  Ａｌｔｍａｎら、ＧａｍｅＣｏｍｍ２００７、２００７年１０月２２日、Ｎａｎｔｅｓ、Ｆｒａｎｃｅが参照可能である）。
【００５２】
図４では、上側の水平な点線が、リンクでの電力の不足により到達可能でない目標レベルを表し、下側の水平な点線が、利用可能な電力バジェットＣを表し、チャネルに対して到達可能である電力レベルに対応する。したがって、電力レベルは、このレベルに設定される。その境界に到達するチャネルの場合では、問題は、図５で説明されるような、サイフォンを用いる注水問題として残されている。
【００５３】
目標電力レベルおよび脆弱性特徴パラメータが異なる場合で、すべてのＰｉがその境界内にあるとすると（λｉ＝μｉ＝０）、求解すべき非線形システムは次式となる。
【数１１】
0005312689.tif 000012
【００５４】
したがって、νは消去され得る：
【数１２】
0005312689.tif 000013
【数１３】
0005312689.tif 000014
固定されたＳに対しては、各Ｐｉに対して求解することができる（セカント法）。
次いで、Ｓが更新され、この方法が反復される。さらに、前記方法は、最適解に向かって収束してゆく。
【００５５】
したがって、本発明の実施形態によれば、チャネルの電力レベルの調整が、収束反復法により実現される。
【００５６】
さらに、この方法は、リンクでのコネクションの追加または抑制のような、リンクで発生する任意の修正を考慮するために、動的である。
【００５７】
その上、リンク７でのチャネル１５の電力レベルの調整は、他のリンクでの前記電力レベルの調整により影響を受ける場合がある。実際に、コネクション１（図１）のリンク７で、実際の電力レベルが、技術的な制限による許容範囲を逸脱しているならば、コネクション１の他のリンク７で、補正が実現され得る。したがって、チャネル１５の実際の電力レベルは、対応するコネクション１の別のリンク７での電力の不足または過剰を補正するために修正され得る。
【００５８】
実際には、光リンク７は、少なくとも１つの光増幅器９と、各個別のチャネルの電力レベルの設定を可能にする制御手段とを備える。実際には、リンク７は、それぞれ光増幅器９を備える複数のスパンを備える場合があり、それによって、リンク７は、複数の光増幅器９を備える。図６で説明されるように、制御手段は、波長選択スイッチ（ＷＳＳ）または波長ブロッカ（ＷＢ）のような任意の個別の波長減衰システム１２であってよく、前記システム１２は、多くは、逆多重化システム１１、個別の減衰を異なるチャネル１５に設定することを可能にする、ある範囲の光減衰器１３（例えば１組の可変光減衰器（ＶＯＡ））、および多重化システム１７を備える。実際には、異なるチャネル１５は、リンク７を介して伝送される前に多重化される。したがって、デマルチプレクサ１１は、異なる波長に対応する異なるチャネル１５を分離することを可能にする。次いで、各チャネル１５の電力レベルが調整される。異なるチャネル１５は、最終的に、後続のリンク７を介して伝送されるために、マルチプレクサ１７で再多重化される。一実施形態では、波長減衰システム１２は、光スイッチングノード８内に統合される。
【００５９】
さらに、リンク７の異なるチャネル１５に対応するコネクション１に関する情報が、リンク７に伝送される。したがって、この情報に基づいて、リンク７の処理手段は、すべての制約を考慮することを可能にする、異なるチャネル１５の電力レベルの調整を決定するために、上述の最適化に対応する計算を実現することができる。その結果、処理手段により決定される値は、次いで、少なくとも１つの光増幅器９および制御手段により適用される。
【００６０】
このように、本発明の実施形態は、リンク７の異なるチャネル１５の電力レベルを個別に調整し、高い脆弱性特徴パラメータを有するコネクションに対応するチャネル１５の調整範囲が、低い脆弱性特徴パラメータを有するコネクション１に対応するチャネル１５に対して低減されるように、前記調整を最適化することを可能にする。光ネットワークでのそのような調整の適用は、より良好な電力分配の、したがって、エグレスノード５での信号品質を要求される電力量で割った比の最適化の一助となる。
【００６１】
さらに、本発明の実施形態は、再生の必要性を低減し、ネットワークのトランスペアレント性を増大することを可能にする。
【図１】
0005312689.tif 000019
【図２】
0005312689.tif 000020
【図３】
0005312689.tif 000021
【図４】
0005312689.tif 000022
【図５】
0005312689.tif 000023
【図６】
0005312689.tif 000024